(57)【要約】【課題】受信電子メールに対する返信電子メールの編集にあたって、語句入力の負担を軽減し、電子メール編集を容易にする。【解決手段】受信電子メールの文章を所定の条件に基づいて区切って１又は複数の文字からなる文字列を取得して記憶手段に記憶させる。受信電子メールに対して返信する送信電子メールの編集にあたっては、記憶手段に記憶させた文字列を選択可能に表示し、該文字列を選択する操作者の操作を受け付けると、該操作に基づいて送信電子メールの文章を編集する。【選択図】図２
2008052702.tif 000002
【特許請求の範囲】
【請求項１】
操作入力された文字を辞書データに基づいて文字変換して送信電子メールを編集し送信すると共に外部から受信した受信電子メールを表示する通信端末において、
前記受信電子メールの文章を所定の条件に基づいて区切って１又は複数の文字からなる文字列を取得する文字列取得手段と、
前記文字列取得手段が取得した前記文字列を記憶する記憶手段と、
前記記憶手段に、前記文字列取得手段が取得した前記文字列を記憶させる制御手段と、
前記受信電子メールに対して返信する送信電子メールの編集にあたって、前記記憶手段に記憶された前記文字列を選択可能に表示する入力候補表示手段と、
前記入力候補表示手段により表示された前記文字列を選択する操作者の操作を受け付ける文字列選択手段と、
前記文字列選択手段が受け付けた操作に基づいて前記送信電子メールの文章を編集する編集手段と、
を備えることを特徴とする通信端末。
【請求項２】
前記文字列取得手段は、前記文字列の取得にあたって、ひらがなを取得対象外とする
ことを特徴とする請求項１に記載の通信端末。
【請求項３】
前記文字列取得手段の取得対象とする文字の種類を指定する操作者の操作を受け付ける文字種指定手段を備え、
前記文字列取得手段は、前記文字種指定手段が受け付けた種類の文字からなる文字列を取得する
ことを特徴とする請求項１又は２に記載の通信端末。
【請求項４】
前記文字列取得手段が取得する文字列の難易度を設定する操作者の操作を受け付ける難易度設定手段を備え、
前記文字列取得手段は、前記難易度設定手段が受け付けた所定の難易度以上の文字列を取得する
ことを特徴とする請求項１から３の何れかに記載の通信端末。
【請求項５】
前記記憶手段は、所定数までの文字列を記憶日時に関連付けて記憶するものであって、
前記制御手段は、前記記憶手段に所定数を超えて新たな文字列を記憶させる場合には、記憶日時が最も古い文字列を削除して新たな文字列を記憶させる
ことを特徴とする請求項１から４の何れかに記載の通信端末。
【請求項６】
前記記憶手段は、所定数までの文字列を使用頻度に関連付けて記憶するものであって、
前記制御手段は、前記記憶手段に所定数を超えて新たな文字列を記憶させる場合には、使用頻度が最も低い文字列を削除して新たな文字列を記憶させる
ことを特徴とする請求項１から４の何れかに記載の通信端末。
【請求項７】
前記記憶手段が記憶する文字列の数を指定する操作者の操作を受け付ける記憶数指定手段を備え、
前記制御手段は、前記記憶手段に、前記記憶数指定手段が受け付けた数までの文字列を記憶させる
ことを特徴とする請求項１から６の何れかに記載の通信端末。
【請求項８】
前記記憶手段が記憶する文字列のうち削除不可のものを指定する操作者の操作を受け付ける保存指定手段を備え、
前記制御手段は、前記記憶手段に記憶された文字列のうち前記保存指定手段により削除不可が指定された文字列以外を削除する
ことを特徴とする請求項５から７の何れかに記載の通信端末。
【発明の詳細な説明】
【技術分野】
【０００１】
本発明は、通信端末に関する。
【背景技術】
【０００２】
通信端末における送信電子メール編集時等の文字入力の手法は、キーを用いて一文字ずつ入力し変換機能により漢字等に変換する手法が最も一般的であるが、その他、特許文献１のようなものもある。特許文献１には、過去の入力履歴に基づく入力傾向を記録しておき、キーにより入力された文字列の内容に応じて、キー入力された文字に続く文字列を過去の記録に基づいて予測し、入力候補として操作者が選択可能に示す手法が開示されている。
【特許文献１】特開２００１−２７３２９１号公報
【発明の開示】
【発明が解決しようとする課題】
【０００３】
上記のような従来の通信端末においては、受信電子メールに、読み方が一般的でなくかな漢字変換用の辞書データベースにない語句（難読語句）があって、該受信電子メールに対して返信する送信電子メールを編集する場合、該難読語句を送信電子メールにおいて入力しようとすると、入力手順が煩雑になる。  
例えば、「○○××（野球の球団名）が勝ったよ！憲伸が完封！」という電子メールを受信し、「憲伸すごいね」という返信メールを編集しようとするとき、「憲伸」の読み方が「けんしん」であっても、「けんしん」と入力して変換したのでは、変換候補には「検診」、「献身」、「健診」等が示され、「憲伸」とは変換されないのが一般的である。よって、この場合には、例えばまず「けんぽう」と入力して変換して「憲法」とし、「法」を削除し、次に「のびる」と入力して変換して「伸びる」とし、「びる」を削除する等の手順をふまなければならない。  
また、受信電子メールに、操作者が読み方を解さない語句（難読語句）があって、該受信メールに対して返信する送信電子メールを編集する場合に、該難読語句を送信電子メールにおいて入力しようとすると、読み方が解らないためにかな漢字変換によっては入力することができない。
【０００４】
特許文献１に開示された手法によっても、過去の記録に上記の難読語句に関する情報がなければ、上記問題を解決することはできない。また、難読語句でなくとも、例えばカタカナが多数連なる長い語句のように、入力が煩雑な語句がある。そして、上記問題は、通信端末が携帯電話機やＰＤＡ（Personal Digital Assistant）等の携帯通信端末である場合に、より煩わしいものである。
【０００５】
本発明は、上述した事情に鑑みてなされたもので、受信電子メールに対する返信電子メールの編集にあたって、語句入力の負担を軽減し、電子メール編集を容易にすることを目的とする。
【課題を解決するための手段】
【０００６】
上記課題を解決するために、本発明では、第１の手段として、操作入力された文字を辞書データに基づいて文字変換して送信電子メールを編集し送信すると共に外部から受信した受信電子メールを表示する通信端末において、前記受信電子メールの文章を所定の条件に基づいて区切って１又は複数の文字からなる文字列を取得する文字列取得手段と、前記文字列取得手段が取得した前記文字列を記憶する記憶手段と、前記記憶手段に、前記文字列取得手段が取得した前記文字列を記憶させる制御手段と、前記受信電子メールに対して返信する送信電子メールの編集にあたって、前記記憶手段に記憶された前記文字列を選択可能に表示する入力候補表示手段と、前記入力候補表示手段により表示された前記文字列を選択する操作者の操作を受け付ける文字列選択手段と、前記文字列選択手段が受け付けた操作に基づいて前記送信電子メールの文章を編集する編集手段と、を備えるものを採用した。
【０００７】
また、第２の手段として、上記第１の手段において、前記文字列取得手段は、前記文字列の取得にあたって、ひらがなを取得対象外とするものを採用した。
【０００８】
第３の手段として、上記第１又は２の手段において、前記文字列取得手段の取得対象とする文字の種類を指定する操作者の操作を受け付ける文字種指定手段を備え、前記文字列取得手段は、前記文字種指定手段が受け付けた種類の文字からなる文字列を取得するものを採用した。
【０００９】
第４の手段として、上記第１から３の何れかの手段において、前記文字列取得手段が取得する文字列の難易度を設定する操作者の操作を受け付ける難易度設定手段を備え、前記文字列取得手段は、前記難易度設定手段が受け付けた所定の難易度以上の文字列を取得するものを採用した。
【００１０】
第５の手段として、上記第１から４の何れかの手段において、前記記憶手段は、所定数までの文字列を記憶日時に関連付けて記憶するものであって、前記制御手段は、前記記憶手段に所定数を超えて新たな文字列を記憶させる場合には、記憶日時が最も古い文字列を削除して新たな文字列を記憶させるものを採用した。
【００１１】
第６の手段として、上記第１から４の何れかの手段において、前記記憶手段は、所定数までの文字列を使用頻度に関連付けて記憶するものであって、前記制御手段は、前記記憶手段に所定数を超えて新たな文字列を記憶させる場合には、使用頻度が最も低い文字列を削除して新たな文字列を記憶させるものを採用した。
【００１２】
第７の手段として、上記第１から６の何れかの手段において、前記記憶手段が記憶する文字列の数を指定する操作者の操作を受け付ける記憶数指定手段を備え、前記制御手段は、前記記憶手段に、前記記憶数指定手段が受け付けた数までの文字列を記憶させるものを採用した。
【００１３】
第８の手段として、上記第５から７の何れかの手段において、前記記憶手段が記憶する文字列のうち削除不可のものを指定する操作者の操作を受け付ける保存指定手段を備え、前記制御手段は、前記記憶手段に記憶された文字列のうち前記保存指定手段により削除不可が指定された文字列以外を削除するものを採用した。
【発明の効果】
【００１４】
本発明によれば、受信電子メールの文章を所定の条件に基づいて区切って記憶した文字列を、電信メールの編集にあたって選択して入力可能としたので、操作者が、受信電子メールにあった語句を電子メールに入力しようとしたときに、キー入力等の手数を減らすことができ、また、語句の読み方を解さなくても入力可能とすることができる。したがって、受信電子メールに記載されている語句の入力の負担を軽減し、電子メール編集を容易にすることができる。
【発明を実施するための最良の形態】
【００１５】
以下、本発明の一実施形態について、図面を参照して説明する。図１は、本実施形態における携帯電話機の機能構成を示すブロック図である。携帯電話機は、操作部１（文字列選択手段、文字種指定手段、難易度設定手段、記憶数指定手段、保存指定手段）、表示部２（入力候補表示手段）、無線部３、メモリ部４（記憶手段）及び処理部５（制御手段、文字列取得手段、編集手段）を備えている。
【００１６】
操作部１は、操作キーを備え、該操作キーにより、操作者からの電話発信や電子メールの編集や送信、ＵＲＬ接続等の各種操作指示を受け付け、操作者の操作指示内容に応じた信号を処理部５に出力する。また、操作部１は、文章の編集にあたっては、ひらがな１文字ずつの入力を受け付け、更に、ひらがな入力された語句を漢字やカタカナに変換する変換操作を受け付ける。  
表示部２は、表示制御部２ａと液晶表示板２ｂとを有している。表示制御部２ａは、処理部５による制御の下に液晶表示板２ｂに表示すべき画像信号を生成して液晶表示板２ｂに出力し、液晶表示板２ｂは、表示制御部２ａから入力される画像信号に基づいて各種画像（文字等）を表示する。
【００１７】
無線部３は、アンテナ３ａ、無線回路部３ｂ及び通信制御部３ｃを有している。アンテナ３ａは、受信電波を補足し、該受信電波を受信信号として無線回路部３ｂへ出力する一方、無線回路部３ｂから入力された送信信号を送信電波として空中に放射する。無線回路部３ｂは、アンテナ３ａから入力された信号を増幅及び低周波化し復調して処理部５へ出力し、処理部５から入力された信号を変調し高周波化してアンテナ３ａへ出力する。通信制御部３ｃは、所定のプロトコルに従って基地局との通信を行うように無線回路部３ｂを制御する。
【００１８】
メモリ部４は、ＲＯＭ（Read Only Memory）、ＲＡＭ（Random Access Memory）、フラッシュメモリ等から構成され、かな漢字変換等の変換に用いる辞書データ、各種設定値、アドレス帳、電子メール、ブックマーク等を記憶する。また、メモリ部４には第１メモリ領域４ａ及び第２メモリ領域４ｂが設定されており、これら第１メモリ領域４ａ及び第２メモリ領域４ｂには、処理部５の制御に基づいて、後述する処理により受信電子メール中の文章から抽出された文字列が登録される。
【００１９】
処理部５は、内部メモリに記憶された制御プログラムや、メモリ部４に記憶された各種設定値、操作部１から入力される操作者の操作指示内容に基づいて、本携帯電話機の全体の動作を制御する。即ち、処理部５は、上記制御プログラム、各種設定値及び操作指示に基づいて制御演算を行うＣＰＵ（Central Processing Unit）及び他の各部（つまり操作部１、表示部２、無線部３、メモリ部４）とのデータ授受を行う各種入出力インターフェース回線等から構成されており、上記他の各部を統括的に制御する。  
また、処理部５は、文章の編集にあたっては、操作部１が１文字ずつ受け付けたひらがなを表示部２に表示させ、更に、操作部が受け付けた変換操作に基づいてひらがな入力された語句を漢字やカタカナに変換して表示部２に表示し直させる。
【００２０】
次に、本携帯電話機の動作について、実施例１として図２〜図１０を用いて説明する。  
処理部５は、無線部３が電子メールを受信すると、該受信電子メールをメモリ部４に記憶させる。操作者が、該受信電子メールを表示部２に表示させることを指示する操作を行うと、操作部１は、操作者の操作指示内容を示す信号を処理部５に出力する。操作部１から信号を入力された処理部５は、表示部２に受信電子メールを表示させる。
【００２１】
操作者は、受信電子メールを表示部２に表示させた後、該受信電子メールに対する返信電子メールを作成する場合に、必要に応じて、返信電子メール作成に先立って、受信電子メール中の語句を再利用可能に抽出させる操作指示を操作部１に行う。この操作があったとき、操作部１は操作者の操作指示内容を示す信号を処理部５に出力し、操作部１から信号を入力された処理部５は、メモリ部４が記憶する各種設定値に基づいて、後述する文字列抽出処理（図２のフローチャートに示す）を行う。
【００２２】
上記各種設定値としては、文字種、難易度、記憶数がある。  
文字種は、『漢字』、『カタカナ』、『英字』、『数字』及び『ひらがな』のうちの何れか１又は複数であって、操作部１が操作者から受け付けた指定操作に基づいて処理部５がメモリ部４に記憶された設定値を更新する。例えば、文字種として『漢字』と『カタカナ』とが指定されていれば、上記文字列抽出処理において、処理部５は、受信電子メール中の漢字とカタカナとを抽出し、また、隣り合う文字の種類が異なる箇所で区切って、第１メモリ領域４ａに記憶させる。この際、処理部５は、文字列を記憶日時に関連付けて記憶させる。
【００２３】
難易度は、文字数と対応しており、上記文字種毎に設定されるものであって、操作部１が操作者から受け付けた設定操作に基づいて処理部５がメモリ部４に記憶された設定値を更新する。処理部５は、文字列抽出処理において、漢字の難易度の設定値が例えば「２」であれば、２文字以上連なる漢字を抽出し、同様に、カタカナの難易度の設定値が例えば「５」であれば、５文字以上連なるカタカナを抽出する。  
記憶数は、第１メモリ領域４ａに記憶させる文字列の数の上限値であって、操作部１が操作者から受け付けた設定操作に基づいて処理部５がメモリ部４に記憶された設定値を更新する。例えば、値が２０と指定されていれば、処理部５は、文字列抽出処理において、２０の文字列が記憶されている第１メモリ領域４ａに新たに文字列を記憶させる場合に、記憶日時が最も古い文字列を削除して新たな文字列を記憶させる。  
なお、操作者による値入力が行われない場合、上記各種設定値（文字種、難易度及び記憶数）としてデフォルト値が採用される。
【００２４】
図２は、文字列抽出処理の流れを示すフローチャートである。処理部５は、まず上記のような各種設定値（文字種、難易度及び記憶数）を確認し（ステップＳ１）、操作者による値入力が行われていれば該値を用い（ステップＳ１のＹｅｓ）、操作者による値入力が行われていなければ（ステップＳ１のＮｏ）デフォルト値を用いて（ステップＳ２）、上記各種設定値に基づいて文字列を抽出し（ステップＳ３）、抽出された文字列を第１メモリ領域４ａに登録する（ステップＳ４）。  
例えば、受信電子メール中の文章が「本日、夕方６時に横浜駅地下で待ち合わせしましょう」というものであって、文字種が漢字及びカタカナ、漢字の難易度が２、カタカナの難易度が５である場合、上記文字列抽出処理によれば、「本日」、「夕方」及び「横浜駅地下」の３語が抽出されて、第１メモリ領域４ａに登録される。
【００２５】
上記文字列抽出処理実行後、操作者が、受信電子メールに対する返信電子メールを作成することを指示する操作を行うと、操作部１は、操作者の操作指示内容を示す信号を処理部５に出力し、操作部１から信号を入力された処理部５は、返信電子メール編集画面を表示部２に表示させる。  
操作者は、返信電子メールの編集にあたって、必要に応じて、文字列抽出処理において第１メモリ領域４ａに登録されている文字列を呼び出す操作指示を操作部１に行う。この操作があったとき、操作部１は操作者の操作指示内容を示す信号を処理部５に出力し、処理部５は、図３のフローチャートに示す文字列呼出処理を行う。即ち、処理部５は、第１メモリ領域４ａに登録されている文字列を読み出し（ステップＳ１１）、該文字列を表示部２に、操作部１に対するカーソル移動操作や決定操作等によって選択可能に表示させる（ステップＳ１２）。  
操作者が表示部２に表示された文字列を選択すると、処理部５は、該文字列を返信電子メールの文章を構成する文字列として表示部２に表示する。
【００２６】
第１メモリ領域４ａに登録された文字列は、処理部５によって古いものから徐々に削除されるので、操作者は、必要に応じて、削除不可の文字列を指定する操作指示を操作部１に行う。この操作があったとき、操作部１は操作者の操作指示内容を示す信号を処理部５に出力し、処理部５は、図４のフローチャートに示す文字列保護処理を行う。即ち、処理部５は、第１メモリ領域４ａに登録されている文字列を読み出し（ステップＳ２１）、該文字列を表示部２に、操作部１に対するカーソル移動操作や決定操作等によって選択可能に表示させる（ステップＳ２２）。
【００２７】
例えば、第１メモリ領域４ａに登録されている文字列が、図５に示すようなものである場合、ステップＳ２２における表示部２の表示状態は図６（ａ）に示すようなものとなる。この画面において、操作者が、操作部１により削除不可と指定する文字列の番号を入力するか或いは削除不可と指定する文字列にカーソルを合わせて「選択」を押下すると（ステップＳ２３）、処理部５は、図６（ｂ）に示すような画面を表示部２に表示させる。この画面は、操作者が指定した削除不可とする文字列を表示すると共に、この文字列を呼び出す際のキーワードの入力を促すものである。この画面において、操作者が、キーワードを入力して（ステップＳ２４）「ＯＫ」を押下すると、処理部５は、文字列を第２メモリ領域４ｂに登録し（ステップＳ２５）、図６（ｃ）に示すように先程のキーワードが紐付けられて第２メモリ領域４ｂに登録されている文字列を表示部２に表示させ、操作者の確認を促す。
【００２８】
操作者は、文章の編集にあたって、必要に応じて、文字列保護処理において第２メモリ領域４ｂに登録されている文字列を呼び出す操作指示を操作部１に行う（図７（ａ）参照）。この操作があったとき、操作部１は操作者の操作指示内容を示す信号を処理部５に出力し、処理部５は、第２メモリ領域４ｂに登録されている文字列を読み出して、該文字列を表示部２に選択可能に表示させる（図７（ｂ）参照）。
【００２９】
また、操作者は、必要に応じて、文字列保護処理において第２メモリ領域４ｂに登録されている文字列を削除する操作指示を操作部１に行う。この操作があったとき、操作部１は操作者の操作指示内容を示す信号を処理部５に出力し、処理部５は、図８のフローチャートに示す文字列削除処理を行う。即ち、処理部５は、第２メモリ領域４ｂに登録されている文字列を読み出し（ステップＳ３１）、該文字列を表示部２に選択可能に表示させる（ステップＳ３２）。  
例えば、第２メモリ領域４ｂに登録されている文字列が、図９に示すようなものである場合、ステップＳ３２における表示部２の表示状態は図１０（ａ）に示すようなものとなる。この画面において、操作者が、操作部１により削除する文字列の番号を入力するか削除する文字列にカーソルを合わせて「選択」を押下すると（ステップＳ３３）、処理部５は、図１０（ｂ）に示すような画面を表示部２に表示させる。この画面は、操作者が指定した削除する文字列及びこの文字列に紐付けられたキーワードを表示し、操作者による確認を求めるものである。この画面において、操作者が「ＯＫ」を押下すると、処理部５は、文字列を削除して（ステップＳ３４）、その後、図１０（ｃ）に示すように、文字列削除後の第２メモリ領域４ｂに登録されている文字列を表示部２に表示させる。
【００３０】
ここで、上記文字列削除処理においては、第２メモリ領域４ｂに登録されている文字列のみを削除対象としているが、実施にあたっては、第１メモリ領域４ａに登録されている文字列をも削除対象として表示部２に表示させてもよい。この場合には、第２メモリ領域４ｂに登録されて保護されている文字列を第１メモリ領域４ａに登録されている文字列と区別するために、図１０に示すように、番号にアスタリスク（＊）等を付加して表示することが好ましい。  
次に、本携帯電話機の別の実施例（実施例２）について、図１１〜図１４を用いて説明する。なお、図中においてすでに説明した記号と同一の記号で表された部分については新たな説明は行わない。
【００３１】
実施例１と同様に処理部５は、表示部２に受信電子メールを表示させ、受信電子メール中の語句を再利用可能に抽出させる操作指示を操作部１に行う。以下、処理部５は文字列抽出処理（図２のフローチャートに示す）にしたがって処理を行う。
【００３２】
操作者は、図１１（ａ）において操作者は操作部1によりメニュー１０ａを選択すると図１１（ｂ）に示すように「入力支援」なる、第1メモリ領域４ａに記憶させる文字を容易に選択するための選択候補項目１０ｂが表示されるので、操作者は「入力支援」を選択する。さらに選択候補項目１０ｃが表示され、操作者は「登録」を選択する。そうするとさらに文字種を選択するための候補１０ｄが表示され、たとえばここでは「漢字」を選択すると図１２（ａ）に示される画面が表示され、選択された漢字が表示される。ここで、操作者が操作部１に対し画面をスクロールさせる指示を行うと、図１２（ｂ）のように選択された文字すべてを表示することができる。
【００３３】
実施例１同様に、上記文字列抽出処理実行後、操作者が、受信電子メールに対する返信電子メールを作成することを指示する操作を行うと、操作部１は、操作者の操作指示内容を示す信号を処理部５に出力し、操作部１から信号を入力された処理部５は、返信電子メール編集画面を表示部２に表示させる。図１３はメール作成画面（図１３（ａ））から返信電子メール編集画面を選択し、選択候補項目１０ｃが表示された様子を示している（図１３（ｂ））。
【００３４】
操作者は、選択候補項目１０ｃから「読み出し」を選択すると、第1メモリ領域４ａに記憶された文字のうち、返信メールのもとの受信メールに関連して記憶された文字を表示する（図１４（ａ））。さらに操作者が「８．草薙」を選択すると選択された文字である「草薙」が液晶表示板２ｂに表示される。なお、この処理は処理部５が、図３のフローチャートに基づいて行う。このように、実施例２では、文字列抽出処理や文字列呼出処理に際し、メニュー項目を選択することで入力支援処理の一部として扱った例を示した。
【００３５】
このように、本実施形態によれば、受信電子メールの文章を所定の条件に基づいて区切って記憶した文字列を、電信メールの編集にあたって選択して入力可能としたので、操作者が、受信電子メールにあった語句を電子メールに入力しようとしたときに、キー入力等の手数を減らすことができ、また、語句の読み方を解さなくても入力可能とすることができる。したがって、受信電子メールに記載されている語句の入力の負担を軽減し、電子メール編集を容易にすることができる。
【００３６】
なお、本実施形態では、文字登録処理を行うことによって受信電子メールから文字列を取得するようにしているが、実施にあたっては、返信電子メールを作成する操作指示を受け付けることにより受信電子メールからの文字列取得を開始してもよい。
【００３７】
また、本実施形態では、隣り合う文字の種類が異なる箇所で文字列を区切ったが、実施にあたっては、所定字数毎に区切るようにしたり、句読点の前後で区切るようにしてもよい。
【００３８】
更に、本実施形態では、難易度の文字数を文字種毎に設定したが、実施にあたっては、単一の難易度を設定し、全文字種共通としてもよい。
【００３９】
また、本実施形態では、難易度は、文字数に対応するものとしたが、実施にあたっては、例えば、難易度設定を高／低の切り替えとし、高に設定されているときにはかな漢字変換用辞書データにない文字列を抽出するようにし、低に設定されているときには全ての文字列を抽出するようにしてもよい。
【００４０】
更に、本実施形態では、文字列を記憶日時に関連付けて登録し、指定数を越えて新たな文字列を登録する場合には、記憶日時が最も古い文字列から順次削除するようにしたが、実施にあたっては、文字列を使用頻度に関連付けて登録し、使用頻度が最も低い文字列から順次削除するようにしてもよい。
【００４１】
また、本実施形態では、受信電子メールに対する返信電子メールの編集にあたって受信電子メール中の文字列を抽出し再利用することについて説明したが、実施にあたっては、通信端末を用いてインターネットのウェブページを参照しているときに、該ウェブページに関する電子メールを編集しようとする場合に本発明を適用してもよい。
【００４２】
例えば、飲食店の情報を掲載したウェブページを参照し、該飲食店に関する情報を知人に電子メールで連絡するような場合、該飲食店の店名が一般的な読み方でなくかな漢字変換用の辞書データベースにないものであることは少なくない。このような場合に、ウェブページ上の文章から難易度の高い文字列を抽出してメモリ部４に記憶させ、電子メール編集時にメモリ部４から読み出して再利用すれば、操作者の入力の負担を軽減し、電子メール編集を容易にすることができる。
【００４３】
そして、本実施形態では、携帯電話機を例として説明したが、実施にあたっては、パーソナルコンピュータ等の他の通信端末に本発明を適用してもよい。
【図面の簡単な説明】
【００４４】
【図１】本発明の一実施形態における携帯電話機の機能構成を示すブロック図である。
【図２】本発明の一実施形態における文字列抽出処理の流れを示すフローチャートである。
【図３】本発明の一実施形態における文字列呼出処理の流れを示すフローチャートである。
【図４】本発明の一実施形態における文字列保護処理の流れを示すフローチャートである。
【図５】本発明の一実施形態における第１メモリ領域の登録例を示す模式図である。
【図６】本発明の一実施形態における文字列保護処理中の表示部の表示例を示す模式図である。
【図７】本発明の一実施形態における文字列呼出処理中の表示部の表示例を示す模式図である。
【図８】本発明の一実施形態における文字列削除処理の流れを示すフローチャートである。
【図９】本発明の一実施形態における第２メモリ領域の登録例を示す模式図である。
【図１０】本発明の一実施形態における文字列削除処理中の表示部の表示例を示す模式図である。
【図１１】本発明の一実施形態における第１メモリ領域の登録例を示す模式図である。
【図１２】本発明の一実施形態における第１メモリ領域の登録例を示す模式図である。
【図１３】本発明の一実施形態における文字列呼出処理中の表示部の表示例を示す模式図である。
【図１４】本発明の一実施形態における文字列呼出処理中の表示部の表示例を示す模式図である。
【符号の説明】
【００４５】
１…操作部、  ２…表示部、  ２ａ…表示制御部、  ２ｂ…液晶表示板、  ３…無線部、  ３ａ…アンテナ、  ３ｂ…無線回路部、  ３ｃ…通信制御部、  ４…メモリ部、  ４ａ…第１メモリ領域、  ４ｂ…第２メモリ領域、  ５…処理部、１０ａ…メニュー、１０ｂ…選択候補項目、  １０ｃ…選択候補項目、  １０ｄ…文字種を選択するための候補  
【図１】
2008052702.tif 000003
【図２】
2008052702.tif 000004
【図３】
2008052702.tif 000005
【図４】
2008052702.tif 000006
【図５】
2008052702.tif 000007
【図６】
2008052702.tif 000008
【図７】
2008052702.tif 000009
【図８】
2008052702.tif 000010
【図９】
2008052702.tif 000011
【図１０】
2008052702.tif 000012
【図１１】
2008052702.tif 000013
【図１２】
2008052702.tif 000014
【図１３】
2008052702.tif 000015
【図１４】
2008052702.tif 000016